(57)【要約】【課題】  主仮名に関連付けられた実績情報と副仮名に関連付けられた実績情報とを統合した実績情報を、主仮名に関連付けて開示した場合において、開示していない副仮名と主仮名との関連を暴露される場合がある。【解決手段】  実情報と前記実情報に対応する抽象情報とを含む一つ以上の変換情報を記憶する変換情報記憶部と、変換情報に基づいて、ユーザの実績を示す実績内容を抽象化実績内容に変換し、出力する変換部と、ユーザ識別子と仮名と実績内容とを関連付けた複数の実績情報と、ユーザ識別子と仮名と属性値とを関連付けた複数の属性情報と、抽象化実績内容と、に基づいて統合実績情報を生成し、出力する統合部と、を含む。【選択図】      図１
2012093821.tif 000002
【特許請求の範囲】
【請求項１】
実情報と前記実情報に対応する抽象情報とを含む一つ以上の変換情報を記憶する変換情報記憶部と、
前記変換情報に基づいて、ユーザの実績を示す実績内容を抽象化実績内容に変換し、出力する変換部と、
前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成し、出力する統合部と、を含み、
前記属性値は、前記属性情報において関連する仮名が、主仮名と副仮名のいずれかの属性であることを示し、
前記統合部は、前記ユーザのユーザ識別子に関連する前記属性値を抽出し、抽出した属性値のうち前記主仮名の属性の属性値に関連する仮名に関連付けられた第１の実績内容と、前記抽出した属性値のうち前記副仮名の属性の属性値に関連する仮名に関連付けられた第２の実績内容とを、前記実績情報から抽出し、
前記統合部で、第２の実績内容を抽出した場合、前記変換部は抽出された前記第２の実績内容を前記抽象化実績内容に変換し、前記統合部は、前記第１の実績内容と前記抽象化実績内容とを統合し前記統合実績情報を出力すること
を特徴とする実績統合システム。
【請求項２】
前記抽象化実績内容に含まれる数値を抽象化する数値抽象化部を更に含むこと
を特徴とする請求項１記載の実績統合システム。
【請求項３】
前記変換部は、抽象化の段階を指定する抽象化度に基づいて、前記実績内容を前記抽象化実績内容に変換すること
を特徴とする請求項１または２記載の実績統合システム。
【請求項４】
前記変換部は、前記仮名毎に抽象化の段階を指定する個別抽象化度に基づいて、前記実績内容を前記抽象化実績内容に変換すること
を特徴とする請求項１乃至３のいずれかに記載の実績統合システム。
【請求項５】
前記実績情報を記憶する属性情報記憶部と、
前記実績情報を記憶する属性情報登録部と、を有すること
を特徴とする請求項１乃至４のいずれかに記載の実績統合システム。
【請求項６】
変換部が、記憶部に記憶された実情報と前記実情報に対応する抽象情報とを含む一つ以上の変換情報に基づいて、ユーザの実績を示す実績内容を抽象化実績内容に変換し、出力するステップと、
統合部が、前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成して出力するステップとを含み、
前記属性値は、前記属性情報において関連する仮名が、主仮名と副仮名のいずれかの属性であることを示し、
更に、前記統合部は、前記ユーザのユーザ識別子に関連する前記属性値を抽出し、抽出した属性値のうち前記主仮名の属性の属性値に関連する仮名に関連付けられた第１の実績内容と、前記抽出した属性値のうち前記副仮名の属性の属性値に関連する仮名に関連付けられた第２の実績内容とを、前記実績情報から抽出し、
前記統合部で、第２の実績内容を抽出した場合、前記変換部は、抽出された前記第２の実績内容を前記抽象化実績内容に変換し、前記統合部は、前記第１の実績内容と前記抽象化実績内容とを統合し前記統合実績情報を出力すること
を特徴とする実績統合方法。
【請求項７】
前記コンピュータが、
前記実績内容に含まれる数値を抽象化するステップを更に含むこと
を特徴とする請求項６記載の実績統合方法。
【請求項８】
前記コンピュータが、
抽象化の段階を指定する抽象化度に基づいて、前記実績内容を前記抽象化実績内容に変換するステップを含むこと
を特徴とする請求項６または７記載の実績統合方法。
【請求項９】
前記コンピュータが、
前記仮名毎に抽象化の段階を指定する個別抽象化度に基づいて、前記実績内容を前記抽象化実績内容に変換するステップを含むこと
を特徴とする請求項６乃至８のいずれかに記載の実績統合方法。
【請求項１０】
記憶部に記憶された実情報と前記実情報に対応する抽象情報とを含む一つ以上の変換情報に基づいて、ユーザの実績を示す実績内容を抽象化実績内容に変換し、出力する処理と、
前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成し、出力する処理と、をコンピュータに実行させ、
前記属性値は、前記属性情報において関連する仮名が、主仮名と副仮名のいずれかの属性であることを示し、
更に、前記統合実績情報の生成し、出力する処理は、前記ユーザのユーザ識別子に関連する前記属性値を抽出し、抽出された属性値のうち前記主仮名の属性の属性値に関連する仮名に関連付けられた第１の実績内容と、前記抽出された属性値のうち前記副仮名の属性の属性値に関連する仮名に関連付けられた第２の実績内容とを、前記実績情報から抽出し、前記第２の実績内容を抽出した場合、抽出された前記第２の実績内容を前記抽象化実績内容に変換し、前記第１の実績内容と前記抽象化実績内容とを統合して前記統合実績情報を生成して出力すること
を特徴とするプログラム。
【発明の詳細な説明】
【技術分野】
【０００１】
本発明は、実績統合システム、実績統合方法、及びそのためのプログラムに関し、特に、複数の仮名を所有するユーザの実績を統合する実績統合システム、実績統合方法、及びそのためのプログラムに関する。
【背景技術】
【０００２】
ウェブ上などで提供される様々なサービスにおいて、各ユーザは、互いを識別するためのユーザ識別子を登録する。そのユーザ識別子は、実名であってもよいし仮名であってもよいが、個人情報の保護のために、仮名であることが多い。また、ある一人のユーザが、利用するサービスに対応して異なる複数のユーザ識別子（仮名）を登録する場合もある。
【０００３】
ところで、ユーザの仮名には様々な実績情報が関連付けられている。実績情報は、例えば、外国語に関する試験の成績、表彰、称号、ライセンスの有無、友人や第三者からの評価、マイクロブログへの投稿数、順位、ゲームキャラクターのレベルなどである。これらのような実績情報は、第三者によるそのユーザの評価のための指標となる。
【０００４】
あるサービスを利用する場合、ユーザは、そのサービス用に登録した仮名と、その仮名に直接関連付けられた実績情報のみと、を関連付けて開示することを望む。以後、このような「サービス用に登録した仮名」を副仮名と呼ぶ。
【０００５】
また、他のあるサービスを利用する場合、ユーザは、そのサービス用に登録した仮名と、その仮名に直接関連付けられた実績情報及びその仮名以外のそのユーザの仮名に直接関連付けられた実績情報を統合した実績情報と、を関連付けて開示することを望む。以後、このような「サービス用に登録した仮名」を主仮名と呼ぶ。例えば、そのサービスは、ＳＮＳ（Ｓｏｃｉａｌ  Ｎｅｔｗｏｒｋｉｎｇ  Ｓｅｒｖｉｃｅ）など社交場として機能しているサービスである。このようなサービスにおいて、ユーザは、複数の仮名に関連付けられて分散している実績情報を統合することで、自分の最大限の価値を第三者に提示することができる。
【０００６】
上述の実績情報などのような個人情報の取り扱いに関し、様々な関連技術が知られている。
【０００７】
特許文献１は、個人情報管理装置を開示する。特許文献１に記載されたホームサーバ（個人情報管理装置）の加工判断部は、保護対象データである画像にモザイクをかけたり、保護対象データであるテキストを意味のないデータに置き換えたり、保護対象データの一部を削除したりする。
【０００８】
特許文献２は、匿名による個人情報の公開と内容の証明方法を開示する。特許文献２に記載された証明方法は、実社会で個人を特定できないように個人情報を分割して簡略化し、簡略化した個人情報に匿名を割り付けた証明書を公開する。
【０００９】
特許文献３は、医療機関における個人情報保護システムを開示する。特許文献３に記載された個人情報保護システムは、個人情報に直接対応する第１個人識別情報を発行する手段と、第１個人識別情報に対応付けられた第２個人識別情報を発行する手段を有する。第２個人識別情報を発行する手段は、第１個人識別情報を推定することが第２個人識別情報を発効する。個人情報保護システムにおいて、第２個人識別情報は、部外者から隠すことが比較的困難な箇所に使用される。
【００１０】
特許文献４は、電子取引サービス装置及び方法を開示する。特許文献４に記載の取引サービスプロバイダー（電子取引サービス装置）は、顧客情報を機密部分と非機密部分とに分けて管理する。
【先行技術文献】
【特許文献】
【００１１】
【特許文献１】再特ＷＯ２００７１２２９１４号公報
【特許文献２】特開２００５−２６７５８５号公報
【特許文献３】特開２００６−２７７５４１号公報
【特許文献４】特表２００３−５０８８６０号公報
【発明の概要】
【発明が解決しようとする課題】
【００１２】
しかしながら、上述した先行技術文献に記載された技術においては、主仮名に関連付けられた実績情報と副仮名に関連付けられた実績情報とを統合した実績情報を、主仮名に関連付けて開示した場合において、開示していない副仮名と主仮名との関連を暴露される場合があるという問題点がある。
【００１３】
その理由は、副仮名に関連付けられた実績情報から副仮名そのものが特定できる場合があるからである。即ち、主仮名と上述の統合した実績情報とを関連付けて開示した場合、その統合した実績情報は、副仮名に関連付けられた実績情報を含み、その実績情報から副仮名を特定可能な場合があるからである。
【００１４】
本発明の目的は、上述した問題点を解決できる実績統合システム、実績統合方法、及びそのためのプログラムを提供することにある。
【課題を解決するための手段】
【００１５】
本発明の実績統合システムは、実情報と前記実情報に対応する抽象情報とを含む一つ以上の変換情報を記憶する変換情報記憶部と、前記変換情報に基づいて、ユーザの実績を示す実績内容を抽象化実績内容に変換し、出力する変換部と、前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成し、出力する統合部と、を含み、前記属性値は、前記属性情報において関連する仮名が、主仮名と副仮名のいずれかの属性であることを示し、前記統合部は、前記ユーザのユーザ識別子に関連する前記属性値を抽出し、抽出した属性値のうち前記主仮名の属性の属性値に関連する仮名に関連付けられた第１の実績内容と、前記抽出した属性値のうち前記副仮名の属性の属性値に関連する仮名に関連付けられた第２の実績内容とを、前記実績情報から抽出し、前記統合部で、第２の実績内容を抽出した場合、前記変換部は抽出された前記第２の実績内容を前記抽象化実績内容に変換し、前記統合部は、前記第１の実績内容と前記抽象化実績内容とを統合し前記統合実績情報を出力する。
【００１６】
本発明の実績統合方法は、記憶部に記憶された実情報と前記実情報に対応する抽象情報とを含む一つ以上の変換情報に基づいて、ユーザの実績を示す実績内容を抽象化実績内容に変換し、出力するステップと、統合部が、前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成して出力するステップとを含み、前記属性値は、前記属性情報において関連する仮名が、主仮名と副仮名のいずれかの属性であることを示し、更に、前記統合部は、前記ユーザのユーザ識別子に関連する前記属性値を抽出し、抽出した属性値のうち前記主仮名の属性の属性値に関連する仮名に関連付けられた第１の実績内容と、前記抽出した属性値のうち前記副仮名の属性の属性値に関連する仮名に関連付けられた第２の実績内容とを、前記実績情報から抽出し、前記統合部で、第２の実績内容を抽出した場合、前記変換部は、抽出された前記第２の実績内容を前記抽象化実績内容に変換し、前記統合部は、前記第１の実績内容と前記抽象化実績内容とを統合し前記統合実績情報を出力する。
【００１７】
本発明のプログラムは、記憶部に記憶された実情報と前記実情報に対応する抽象情報とを含む一つ以上の変換情報に基づいて、ユーザの実績を示す実績内容を抽象化実績内容に変換し、出力する処理と、前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成し、出力する処理と、をコンピュータに実行させ、前記属性値は、前記属性情報において関連する仮名が、主仮名と副仮名のいずれかの属性であることを示し、更に、前記統合実績情報の生成し、出力する処理は、前記ユーザのユーザ識別子に関連する前記属性値を抽出し、抽出された属性値のうち前記主仮名の属性の属性値に関連する仮名に関連付けられた第１の実績内容と、前記抽出された属性値のうち前記副仮名の属性の属性値に関連する仮名に関連付けられた第２の実績内容とを、前記実績情報から抽出し、前記第２の実績内容を抽出した場合、抽出された前記第２の実績内容を前記抽象化実績内容に変換し、前記第１の実績内容と前記抽象化実績内容とを統合して前記統合実績情報を生成して出力する。
【発明の効果】
【００１８】
本発明は、主仮名に関連付けられた実績情報と副仮名に関連付けられた実績情報とを統合した実績情報を、主仮名に関連付けて開示した場合において、副仮名と主仮名との関連が暴露されることを防止することが可能になるという効果がある。
【図面の簡単な説明】
【００１９】
【図１】本発明の第１乃至第３の実施形態の構成を示すブロック図である。
【図２】本発明の第１乃至第３の実施形態の変換情報のデータの一例を示す図である。
【図３】本発明の第１乃至第３の実施形態の変換情報のデータの一例を示す図である。
【図４】本発明の第１乃至第３の実施形態の変換情報のデータの一例を示す図である。
【図５】本発明の第１乃至第３の実施形態の実績内容のデータの一例を示す図である。
【図６】本発明の第１乃至第３の実施形態の抽象化実績内容のデータの一例を示す図である。
【図７】本発明の第１乃至第３の実施形態の実績情報のデータの一例を示す図である。
【図８】本発明の第１乃至第３の実施形態の属性情報のデータの一例を示す図である。
【図９】本発明の第１乃至第３の実施形態の統合実績情報のデータの一例を示す図である。
【図１０】本発明の第１の実施形態の動作を示すフローチャートである。
【図１１】本発明の第２の実施形態の構成を示すブロック図である。
【図１２】本発明の第２の実施形態の動作を示すフローチャートである。
【図１３】本発明の第３の実施形態の構成を示すブロック図である。
【図１４】本発明の第３の実施形態の動作を示すフローチャートである。
【発明を実施するための形態】
【００２０】
次に、本発明の実施形態について図面を参照して詳細に説明する。
【００２１】
［第１の実施形態］
図１は、本発明の第１の実施形態の構成を示すブロック図である。
【００２２】
図１を参照すると、本実施形態に係る実績統合システム１００は、変換部１１０と変換情報記憶部１２０と統合部１３０とを含む。
【００２３】
変換部１１０は、変換情報記憶部１２０に記憶されている変換情報に基づいて、ユーザの実績を示す図５に示すような実績内容６１３を図６に示すような抽象化実績内容６６３に変換し、出力する。
【００２４】
変換情報記憶部１２０は、実情報とこの実情報に対応する抽象情報とを含む一つ以上の変換情報を記憶する。変換情報記憶部１２０は、例えば、図２に示すような地名変換情報６３０、図３に示すような行事名変換情報６４０及び図４に示すような成績変換情報６５０を記憶する。
【００２５】
尚、変換情報記憶部１２０は、例えば、地名変換情報６３０、行事名変換情報６４０及び成績変換情報６５０などの変換情報を、実情報の種類毎に個別のデータベースとして記憶してもよい。また、変換情報記憶部１２０は、変換情報を、実情報の種類に係わらず任意の単位に纏めたデータベースとして記憶してもよい。
【００２６】
ここで、図２乃至図５を参照して、変換情報記憶部１２０に記憶される実情報と抽象情報について更に詳述する。
【００２７】
図２は、変換情報のデータの例を示す図である。図２に示すように、変換情報の例の一つである地名変換情報６３０は、実地名（実情報とも呼ばれる）６３１（例えば、実在する地名である「東京都」）と抽象地名（抽象情報とも呼ばれる）６３２（例えば、「東京都」を含む行政区画単位の呼称である「都道府県」）とを含む。
【００２８】
図３は、変換情報のデータの他の例を示す図である。図３に示すように、変換情報の例の一つである行事名変換情報６４０は、実行事名（実情報とも呼ばれる）６４１（例えば、実在する行事名である「ヘラブナつり大会」）と抽象行事名（抽象情報とも呼ばれる）６４２（例えば、「ヘラブナつり大会」を含む一般的な行事分類である「つりゲーム大会」）とを含む。
【００２９】
図４は、変換情報のデータの他の例を示す図である。図４に示すように、変換情報の例の一つである成績変換情報６５０は、実成績（実情報とも呼ばれる）６５１（例えば、「１位」）と抽象化成績（抽象情報とも呼ばれる）６５２（例えば、「１位」を含む一般的な成績分類である「上位」）とを含む。
【００３０】
以上のように、変換情報において、実情報と抽象情報とは、互いに関連付けられている。抽象情報は、実情報を抽象化あるいは上位概念化した情報である。
【００３１】
図５は、実績内容６１３のデータの例を示す図である。図５に示すように、実績内容６１３は、ユーザの実績を示す情報である。
【００３２】
図６は、抽象化実績内容６６３のデータの例を示す図である。図６に示すように、抽象化実績内容６６３は、ユーザの抽象化された実績を示す情報である。
【００３３】
次に、変換部１１０による実績内容６１３から抽象化実績内容６６３への変換について、具体例を用いて説明する。
【００３４】
まず、変換部１１０は、実績内容６１３「第３７回アジアバスフィッシング競技会優勝」について形態素解析を行い、地名である「アジア」と、行事名である「バスフィッシング競技会」と、成績である「優勝」とを抽出する。尚、形態素解析は周知の技術であるため、説明は省略する。
【００３５】
次に、変換部１１０は、変換情報記憶部１２０に記憶された変換情報に基づいて、実情報を抽象情報に変換する。すなわち、変換部１１０は、変換情報記憶部１２０を参照して、形態素解析で解析された各実情報に関連する変換情報から、対応する抽象情報を検索し、検索された抽象情報を出力する。具体的には、変換部１１０は、図２の地名変換情報６３０に基づいて、地名である「アジア」を、「国際」に変換する。続いて、変換部１１０は、図３の行事名変換情報６４０に基づいて、行事名である「バスフィッシング競技会」を「つりゲーム大会」に変換する。更に、変換部１１０は、図４の成績変換情報６５０に基づいて、成績である「優勝」を「上位」に変換する。
【００３６】
こうして、変換部１１０は、図５に示す実績内容６１３「第３７回アジアバスフィッシング競技会優勝」を、図６に示す抽象化実績内容６６３「第３７回国際つりゲーム大会上位」に変換する。
【００３７】
統合部１３０は、図７に示すような実績情報６１０と図８に示すような属性情報６２０と変換部１１０が出力する抽象化実績内容６６３とに基づいて、図９に示すような統合実績情報６７０を生成し、出力する。ここで、図７乃至図９を参照して、統合部１３０で処理される実績情報６１０及び属性情報６２０と、出力としての統合実績情報６７０について更に詳述する。
【００３８】
図７は、実績情報６１０のデータの例を示す図である。図７に示すように、実績情報６１０は、ユーザを一意に識別するユーザ識別子６１１、そのユーザが利用している仮名６１２、及びその仮名６１２に対応する実績内容６１３を互いに関連付けた情報である。
【００３９】
実績情報６１０は、実績統合システム１００内の図示しない記憶部に格納されていても良いし、図示しない入力手段（例えば、キーボードやネットワークインタフェースなど）から入力されるようにしてもよい。
【００４０】
図８は、属性情報のデータの例を示す図である。図８に示すように、属性情報６２０は、ユーザ識別子６１１、仮名６１２、及びその仮名６１２の属性を示す属性値６２４を互いに関連付けた情報である。属性値６２４が「主」の場合、対応する仮名６１２は、主仮名である。主仮名は、その主仮名に関連付けられた実績内容６１３とその主仮名以外の同一のユーザ識別子６１１に対応する仮名６１２に関連付けられた実績内容６１３とを統合した情報を、その主仮名に関連付けて開示することをユーザが望むという、属性を有する。
属性値６２４が「副」の場合、対応する仮名６１２は、副仮名である。副仮名は、その副仮名に関連付けられた実績内容６１３のみを、その副仮名に関連付けて開示することをユーザが望むという、属性を有する。
【００４１】
属性情報６２０は、実績統合システム１００内の図示しない記憶部に格納されていても良いし、図示しない入力手段（例えば、キーボードやネットワークインタフェースなど）から入力されるようにしてもよい。
【００４２】
図９は、統合実績情報６７０のデータの例を示す図である。図９に示すように統合実績情報６７０は、代表仮名６７１と統合実績内容６７３とを含む。
【００４３】
統合部１３０は、属性情報６２０を参照し、ユーザのユーザ識別子６１１に関連する属性値６２４を抽出する。統合部１３０は、属性値６２４が主仮名の属性である場合、その属性値（主）に関連する仮名６１２に関連付けられた第１の実績内容を実績情報６１０から抽出する。
【００４４】
また統合部１３０は、ユーザのユーザ識別子６１１に関連する属性値６２４が副仮名の属性である場合、属性値（副）に関連する仮名に関連付けられた第２の実績内容を実績情報６１０から抽出し、変換部１１０に送信する。変換部１１０は受信した第２の実績内容を抽象化実績内容に変換し、統合部１３０に出力する。
【００４５】
そして、統合部１３０は、第１の実績内容と変換部１３０からの抽象化実績内容とを統合し、統合実績情報６７０を出力する。
【００４６】
次に、統合部１３０が生成する統合実績内容６７３について、具体例を用いて説明する。
【００４７】
統合部１３０は、以下のようにして、代表仮名６７１が例えば仮名６１２「山田政子」である統合実績内容６７３を生成する。
【００４８】
最初に、統合部１３０は、属性情報６２０を参照し、仮名６１２「山田政子」に対応するユーザ識別子６１１「１０００１」と同一のユーザ識別子６１１に対応する仮名６１２「佐藤政子」及び仮名６１２「山ちゃん」と、各仮名６１２に対応する属性値６２４を抽出する。
【００４９】
次に、統合部１３０は、実績情報６１０を参照し、ユーザ識別子６１１「１０００１」の各仮名に対応する実績内容を抽出する。すなわち、統合部１３０は、ユーザ識別子６１１「１０００１」及び仮名６１２「山田政子」の実績内容６１３「第６回ヘラブナつり大会中学生の部優勝」を抽出する。更に、統合部１３０は、ユーザ識別子６１１「１０００１」及び仮名６１２「佐藤政子」の実績内容６１３「第１３回ルアーデザインコンクール準優勝」を抽出する。更に、統合部１３０は、ユーザ識別子６１１「１０００１」及び仮名６１２「やまちゃん」の実績内容６１３「第３７アジアバスフィッシング競技会優勝」を抽出する。
【００５０】
次に、統合部１３０は、仮名６１２「やまちゃん」を、属性値６２４が「副」であるので、副仮名であると判定する。ただし、統合部１３０は、この判定を、上述の実績内容を抽出する前に行っても良い。
【００５１】
次に、統合部１３０は、副仮名である仮名６１２「やまちゃん」の実績内容６１３「第３７アジアバスフィッシング競技会優勝」を変換部１１０に送信し、その応答として抽象化実績内容６６３「第３７回アジアつりゲーム大会上位」を受け取る。
【００５２】
次に、統合部１３０は、主仮名であると判定した仮名６１２に対応する実績内容６１３及び副仮名であると判定した仮名６１２に対応する抽象化実績内容６６３を結合して統合実績内容６７３を生成する。
【００５３】
こうして、統合部１３０は、代表仮名６７１と統合実績内容６７３とを含む、統合実績情報６７０を生成する。
【００５４】
尚、実績統合システム１００は、中央処理装置（ＣＰＵ：Ｃｅｎｔｒａｌ  Ｐｒｏｃｅｓｓｉｎｇ  Ｕｎｉｔ）及びメモリ、ハードディスクを含むコンピュータで構成されていても良い。この場合、変換部１１０及び統合部１３０での各処理は、コンピュータの記憶媒体に記憶されたプログラムに基づいて実行されるものであってもよい。
【００５５】
また、統合部１３０は、図示しない記憶部に統合実績情報６７０を格納するようにしてもよいし、図示しない出力手段（例えば、ディスプレイ装置やネットワークインタフェースなど）へ出力するようにしてもよい。
【００５６】
次に本実施形態の動作について、図１〜図１０を参照して詳細に説明する。
【００５７】
図１０は、本実施形態の動作を示すフローチャートである。
【００５８】
本処理は、統合部１３０が、図示しない手段から、代表仮名６７１に対応する仮名６１２を受け取ったことを契機に開始する。尚、このフローチャートによる処理は、前述したＣＰＵによるプログラム制御に基づいて、実行されても良い。ここでは、図１を併用して説明する。また、処理のステップ名については、Ｓ７０１のように、記号で記載する。
【００５９】
まず、統合部１３０は、属性情報６２０を参照して、受け取った仮名６１２に対応するユーザ識別子６１１を取得する（Ｓ７０１）。
【００６０】
次に、統合部１３０は、属性情報６２０を参照して、Ｓ７０１で取得したユーザ識別子６１１と同一のユーザ識別子６１１を含む属性情報６２０を、全て取得する（Ｓ７０３）。
【００６１】
次に、統合部１３０は、実績情報６１０を参照して、取得した各属性情報６２０に含まれるユーザ識別子６１１及び仮名６１２に対応する実績情報６１０を、全て取得する（Ｓ７０５）。
【００６２】
次に、統合部１３０は、Ｓ７０３で取得した各属性情報６２０に含まれる仮名６１２について、属性値６２４を参照し、主仮名であるか副仮名であるかを判定する（Ｓ７０７）。属性値６２４が「主」であり、仮名６１２を主仮名であると判定した場合（Ｓ７０７で主）、処理はＳ７０７へ戻る。
【００６３】
属性値６２４が「副」であり、仮名６１２を副仮名であると判定した場合（Ｓ７０７で副）、統合部１３０は、その属性情報６２０のユーザ識別子６１１（例えば、「１０００１」）及び仮名６１２（例えば、「やまちゃん」）に対応する実績情報６１０を検出する（Ｓ７０９）。
【００６４】
次に、統合部１３０は、検出した実績情報６１０に含まれる実績内容６１３（例えば、「第３７アジアバスフィッシング競技会優勝」）を、変換部１１０に送信する（Ｓ７１１）。
【００６５】
次に、変換部１１０は、受信した実績内容６１３について形態素解析を行い、実情報を抽出する（Ｓ７１３）。
【００６６】
次に、変換部１１０は、変換情報（例えば、地名変換情報６３０、行事名変換情報６４０、成績変換情報６５０、など）に基づいて、実情報（例えば、実地名６３１、実行事名６４１、実成績６５１、など）を抽象情報（例えば、抽象地名６３２、抽象行事名６４２、抽象成績６５２、など）に変換する（Ｓ７１５）。
【００６７】
次に、変換部１１０は、Ｓ７１５で変換された抽象情報に基づいて、実績内容６１３を変換して抽象化実績内容６６３（例えば、「第３７回国際つりゲーム大会上位」）を生成し、生成した抽象化実績内容６６３を、統合部１３０へ出力する（Ｓ７１７）。
【００６８】
次に、統合部１３０は、抽象化実績内容６６３を変換部１１０から受信する（Ｓ７１９）。
【００６９】
処理は、Ｓ７１５で取得した全ての実績情報６１０について、Ｓ７０７からＳ７１７を順次実行する。即ち、変換部１１０は、Ｓ７０５で抽出した実績情報６１０の内の仮名６１２が副仮名であると判定した実績情報６１０に含まれる実績内容６１３を全て、抽象化実績内容６６３に変換する。
【００７０】
次に、統合部１３０は、主仮名であると判定した仮名６１２に対応する実績内容６１３及び副仮名であると判定した仮名６１２に対応する抽象化実績内容６６３を結合して統合実績内容６７３を生成する（Ｓ７２１）。
【００７１】
次に、統合部１３０は、代表仮名６７１と統合実績内容６７３とを含む、統合実績情報６７０を生成し、出力する（Ｓ７２３）。
【００７２】
上述した本実施形態における第１の効果は、主仮名に関連付けられた実績情報６１０と副仮名に関連付けられた実績情報６１０とを統合した実績情報を、主仮名に関連付けて開示した場合において、副仮名と主仮名との関連が暴露されることを防止することが可能になる点である。
【００７３】
その理由は、変換部１１０が変換情報記憶部１２０の内容に基づいて、実績内容６１３を抽象化実績内容６６３に変換し、統合部１３０が実績情報６１０と属性情報６２０と抽象化実績内容６６３とに基づいて統合実績情報６７０を生成するようにしたからである。
【００７４】
次に、本実施形態の変形例について説明する。
【００７５】
統合部１３０は、図示しない手段から、代表仮名６７１とする仮名６１２と共に抽象化度を受け取る。抽象化度は、例えば、「大」、「小」のいずれかである。
【００７６】
変換情報記憶部１２０は、抽象化度大用の変換情報及び抽象化度小用の変換情報を記憶する。
【００７７】
変換部１１０は、抽象化度が「大」の場合は抽象化度大用の変換情報に基づいて、抽象化度が「小」の場合は抽象化度小用の変換情報に基づいて、実情報を抽象情報に変換する。即ち、変換部１１０は、抽象化度に基づいて、実績内容６１３を抽象化実績内容６６３に変換する
尚、抽象化度の段階は、上述の「大」及び「小」の２段階に限らず任意の数の段階であってよく、変換情報も抽象化度の各段階に対応する種類があってよい。
【００７８】
次に、本実施形態の他の変形例について説明する。
【００７９】
属性情報６２０は、ユーザ識別子６１１、仮名６１２及び属性値６２４に加えて更に、個別抽象化度を有する。抽象化度は、例えば、「１」、「２」または「３」のいずれかの値である。抽象化度の値が大きいほど抽象化の度合いが大きい。
【００８０】
変換情報記憶部１２０は、抽象化度「１」用の変換情報、抽象化度「２」用及び抽象化度「３」用の変換情報を記憶する。
【００８１】
変換部１１０は、抽象化度が「１」の属性情報６２０に対応する実績情報６１０の実績内容６１３を変換する場合は抽象化度１用の変換情報に基づいて、実情報を抽象情報に変換する。抽象化度が「２」及び抽象化度が「３」の属性情報６２０に対応する実績情報６１０の実績内容６１３を変換する場合も、同様である。
【００８２】
即ち、変換部１１０は、個別抽象化度に基づいて、実績内容６１３を抽象化実績内容６６３に変換する。
【００８３】
尚、個別抽象化度の段階は、上述の３段階に限らず任意の数の段階であってよく、変換情報も抽象化度の各段階に対応する種類があってよい。
【００８４】
上述した本実施形態の変形例における第１の効果は、主仮名に関連付けられた実績情報６１０と副仮名に関連付けられた実績情報６１０とを統合した実績情報を、主仮名に関連付けて開示した場合において、副仮名と主仮名との関連が暴露されることを防止することが可能になる点である。
【００８５】
その理由は、変換部１１０が変換情報記憶部１２０の内容に基づいて、実績内容６１３を抽象化実績内容６６３に変換し、統合部１３０が実績情報６１０と属性情報６２０と抽象化実績内容６６３とに基づいて統合実績情報６７０を生成するようにしたからである。
【００８６】
上述した本実施形態の変形例における第２の効果は、抽象化の度合いを任意に調整することが可能になる点である。
【００８７】
その理由は、変換部１１０が抽象化度に対応する変換情報に基づいて実績内容６１３を前記抽象化実績内容６６３に変換するようにしたからである。
【００８８】
上述した本実施形態の変形例における第３の効果は、抽象化の度合いを仮名６１２毎に任意に調整することが可能になる点である。
【００８９】
その理由は、変換部１１０が個別抽象化度に対応する変換情報に基づいて実績内容６１３を抽象化実績内容６６３に変換するようにしたからである。
［第２の実施形態］
次に、本発明の第２の実施形態について図面を参照して詳細に説明する。以下、本実施形態の説明が不明確にならない範囲で、前述の説明と重複する内容については省略する。
【００９０】
図１１は、本発明の第２の実施形態に係る実績統合システム２００の構成を示すブロック図である。
【００９１】
図１１を参照すると、本実施形態に係る実績統合システム２００は、第１の実施形態の実績統合システム１００に比べて、数値抽象化部２４０を更に含む。
【００９２】
数値抽象化部２４０は、抽象化実績内容６６３に含まれる数値を抽象化する。例えば、数値抽象化部２４０は、数字を特定の同一文字（例えば、「ｎ」）に変換して数値（例えば、数値「５」）を抽象数値（例えば、「ｎ」）に変換し、数値抽象化後の抽象化実績内容６６３を生成する。
【００９３】
例えば、抽象化実績内容６６３が「第３７回  国際  つりゲーム大会  上位」である場合、数値抽象化後の抽象化実績内容６６３は、「第ｎｎ回  国際  つりゲーム大会  上位」である。
【００９４】
尚、実績統合システム２００は、ＣＰＵ及びメモリ、ハードディスクを含むコンピュータで構成されていても良い。この場合、変換部１１０、統合部１３０及び数値抽象化部２４０での各処理は、コンピュータの記憶媒体に記憶されたプログラムに基づいて実行されるものであってもよい。
【００９５】
次に本実施形態の動作について、図１１及び図１２を参照して詳細に説明する。
【００９６】
図１２は、本実施形態の動作を示すフローチャートである。尚、このフローチャートによる処理は、前述したＣＰＵによるプログラム制御に基づいて、実行されても良い。ここでは、図１１を併用して説明する。また、処理のステップ名については、Ｓ７４１のように、記号で記載する。
【００９７】
本実施形態の動作は、第１の実施形態の動作に比べて、開始からＳ７１５までと、Ｓ７１９から終了までは同じ動作である。このため、一部の動作の記述（Ｓ７０１〜Ｓ７１５及びＳ７２１からＳ７２３）を省略している。
【００９８】
Ｓ７１５の動作に続いて、変換部１１０は、Ｓ７１５で変換された抽象情報に基づいて、実績内容６１３を変換して抽象化実績内容６６３を生成し、生成した抽象化実績内容６６３を、数値抽象化部２４０へ送信する（Ｓ７４１）。
【００９９】
次に、数値抽象化部２４０は、受信した抽象化実績内容６６３に含まれる数値を抽象数値に変換し、数値抽象化後の抽象化実績内容６６３を変換部１１０に送信する（Ｓ７４３）。
【０１００】
次に、変換部１１０は、受信した抽象化実績内容６６３（数値抽象化後の抽象化実績内容６６３）を、統合部１３０へ出力する（Ｓ７４５）。
【０１０１】
次に処理は、Ｓ７１９へ進む。
【０１０２】
上述した本実施形態における効果は、第１の実施形態の効果に加えて、抽象化実績内容６６３の抽象化の度合いを更に大きくすることが可能になる点である。
【０１０３】
その理由は、数値抽象化部２４０が抽象化実績内容６６３に含まれる数値を抽象化するようにしたからである。
［第３の実施形態］
次に、本発明の第３の実施形態について図面を参照して詳細に説明する。以下、本実施形態の説明が不明確にならない範囲で、前述の説明と重複する内容については省略する。
【０１０４】
図１３は、本実施形態に係る実績統合システム３００の構成を示すブロック図である。
【０１０５】
図１３を参照すると、実績統合システム３００は、図示しないネットワークで接続された実績管理サーバ３０１と端末３０２とから構成されている。
【０１０６】
実績管理サーバ３０１は、変換部１１０と変換情報記憶部１２０と統合部１３０と属性情報記憶部３５０と属性情報登録部３６０とを含む。
【０１０７】
変換部１１０と変換情報記憶部１２０と統合部１３０とは、第１の実施形態で説明したものと同じものである。
【０１０８】
属性情報記憶部３５０は、図８に示すような属性情報６２０を記憶する
属性情報登録部３６０は、端末３０２から属性情報６２０を受信し、属性情報記憶部３５０に送信する。
【０１０９】
属性情報登録部３６０は、端末３０２に属性情報６２０の入力フォームを表示させ、その入力フォームに入力された内容を受信するようにしても良いし、端末３０２から属性情報６２０の内容を含む電子メールを受信するようにしてもよい。
【０１１０】
実績管理サーバ３０１は、例えば、ＣＰＵ及びメモリ、ハードディスクを含むコンピュータで構成されていても良い。この場合、変換部１１０、統合部１３０、属性情報登録部３６０での各処理は、コンピュータの記憶媒体に記憶されたプログラムに基づいて実行されるものであってもよい。
【０１１１】
端末３０２は、ユーザが入力した属性情報６２０を実績管理サーバ３０１へ送信する。
【０１１２】
端末３０２は、属性情報登録部３６０から受け取った属性情報６２０の入力フォームを表示してその入力フォームにユーザが入力した属性情報６２０を送信しても良いし、ユーザが作成した属性情報６２０を含む電子メールを送信するようにしても良い。
【０１１３】
端末３０２は、例えば、パーソナルコンピュータや携帯電話などであってよい。
【０１１４】
次に本実施形態の動作について、図１３及び図１４を参照して詳細に説明する。尚、統合実績情報６７０の生成動作は、第１の実施形態と同じであるため、説明を省略する。
【０１１５】
図１４は、本実施形態の属性情報６２０登録の動作を示すフローチャートである。尚、このフローチャートによる処理は、前述したＣＰＵによるプログラム制御に基づいて、実行されても良い。ここでは、図１３を併用して説明する。また、処理のステップ名については、Ｓ７６１のように、記号で記載する。
【０１１６】
本処理は、端末３０２が、属性情報６２０をユーザから入力されたことを契機に開始する。
【０１１７】
まず、端末３０２は、入力された属性情報６２０を実績管理サーバ３０１の属性情報登録部３６０へ送信する（Ｓ７４１）。
【０１１８】
次に、実績管理サーバ３０１の属性情報登録部３６０は、属性情報６２０を受信し、受信した属性情報６２０を属性情報記憶部３５０へ送信する（Ｓ７４３）
次に、属性情報記憶部３５０は、属性情報６２０を受信し、これを記録する（Ｓ７４５）。
【０１１９】
上述した本実施形態における効果は、第１の実施形態の効果に加えて、仮名６１２を主仮名から副仮名へ及び副仮名から主仮名へ容易に変更することが可能になる点である。
【０１２０】
その理由は、端末３０２から属性情報６２０を登録できるようにしたからである。
【０１２１】
以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【０１２２】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【０１２３】
更に、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【０１２４】
更に、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【０１２５】
尚、以上説明した各実施形態における各構成要素は、必要に応じ可能であれば、ハードウェアで実現されても良いし、ソフトウェアで実現されても良いし、ハードウェアとソフトウェアの混在により実現されても良い。
【０１２６】
また、各構成要素の物理的な構成は、以上の実施形態の記載に限定されることはなく、独立して存在しても良いし、組み合わされて存在しても良いしまたは分離して構成されても良い。
【０１２７】
上記の実施形態の一部または全部は、以下の付記のようにも記載されうるが、以下には限られない。
（付記１）
実情報と前記実情報に対応する抽象情報とを含む一つ以上の変換情報を記憶する変換情報記憶部と、
前記変換情報に基づいて、ユーザの実績を示す実績内容を抽象化実績内容に変換し、出力する変換部と、
前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成し、出力する統合部と、を含み、
前記属性値は、前記属性情報において関連する仮名が、主仮名と副仮名のいずれかの属性であることを示し、
前記統合部は、前記ユーザのユーザ識別子に関連する前記属性値を抽出し、抽出した属性値のうち前記主仮名の属性の属性値に関連する仮名に関連付けられた第１の実績内容と、前記抽出した属性値のうち前記副仮名の属性の属性値に関連する仮名に関連付けられた第２の実績内容とを、前記実績情報から抽出し、
前記統合部で、第２の実績内容を抽出した場合、前記変換部は抽出された前記第２の実績内容を前記抽象化実績内容に変換し、前記統合部は、前記第１の実績内容と前記抽象化実績内容とを統合し前記統合実績情報を出力することを特徴とする実績統合システム。
（付記２）
前記抽象化実績内容に含まれる数値を抽象化する数値抽象化部を更に含むことを特徴とする付記１記載の実績統合システム。
（付記３）
前記変換部は、抽象化の段階を指定する抽象化度に基づいて、前記実績内容を前記抽象化実績内容に変換することを特徴とする付記１または２記載の実績統合システム。
（付記４）
前記変換部は、前記仮名毎に抽象化の段階を指定する個別抽象化度に基づいて、前記実績内容を前記抽象化実績内容に変換することを特徴とする付記１乃至３のいずれかに記載の実績統合システム。
（付記５）
前記実績情報を記憶する属性情報記憶部と、前記実績情報を記憶する属性情報登録部と、を有することを特徴とする付記１乃至４のいずれかに記載の実績統合システム。
（付記６）
変換部が、記憶部に記憶された実情報と前記実情報に対応する抽象情報とを含む一つ以上の変換情報に基づいて、ユーザの実績を示す実績内容を抽象化実績内容に変換し、出力するステップと、
統合部が、前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成して出力するステップとを含み、
前記属性値は、前記属性情報において関連する仮名が、主仮名と副仮名のいずれかの属性であることを示し、
更に、前記統合部は、前記ユーザのユーザ識別子に関連する前記属性値を抽出し、抽出した属性値のうち前記主仮名の属性の属性値に関連する仮名に関連付けられた第１の実績内容と、前記抽出した属性値のうち前記副仮名の属性の属性値に関連する仮名に関連付けられた第２の実績内容とを、前記実績情報から抽出し、
前記統合部で、第２の実績内容を抽出した場合、前記変換部は、抽出された前記第２の実績内容を前記抽象化実績内容に変換し、前記統合部は、前記第１の実績内容と前記抽象化実績内容とを統合し前記統合実績情報を出力することを特徴とする実績統合方法。
（付記７）
数値抽象化部が、前記実績内容に含まれる数値を抽象化するステップを更に含むこと
を特徴とする付記６記載の実績統合方法。
（付記８）
前記変換部が、抽象化の段階を指定する抽象化度に基づいて、前記実績内容を前記抽象化実績内容に変換するステップを含むことを特徴とする付記６または７記載の実績統合方法。
（付記９）
前記変換部が、前記仮名毎に抽象化の段階を指定する個別抽象化度に基づいて、前記実績内容を前記抽象化実績内容に変換するステップを含むことを特徴とする付記６乃至８のいずれかに記載の実績統合方法。
（付記１０）
記憶部に記憶された実情報と前記実情報に対応する抽象情報とを含む一つ以上の変換情報に基づいて、ユーザの実績を示す実績内容を抽象化実績内容に変換し、出力する処理と、
前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成し、出力する処理と、をコンピュータに実行させ、
前記属性値は、前記属性情報において関連する仮名が、主仮名と副仮名のいずれかの属性であることを示し、
更に、前記統合実績情報の生成し、出力する処理は、前記ユーザのユーザ識別子に関連する前記属性値を抽出し、抽出された属性値のうち前記主仮名の属性の属性値に関連する仮名に関連付けられた第１の実績内容と、前記抽出された属性値のうち前記副仮名の属性の属性値に関連する仮名に関連付けられた第２の実績内容とを、前記実績情報から抽出し、前記第２の実績内容を抽出した場合、抽出された前記第２の実績内容を前記抽象化実績内容に変換し、前記第１の実績内容と前記抽象化実績内容とを統合して前記統合実績情報を生成して出力することを特徴とするプログラム。
【０１２８】
（付記１１）前記実績内容に含まれる数値を抽象化する処理を更にコンピュータに実行させる付記１０記載のプログラム。
【０１２９】
（付記１２）抽象化の段階を指定する抽象化度に基づいて、前記実績内容を前記抽象化実績内容に変換する処理をコンピュータに実行させる付記１０または１１記載のプログラム。
【０１３０】
（付記１３）前記仮名毎に抽象化の段階を指定する個別抽象化度に基づいて、前記実績内容を前記抽象化実績内容に変換する処理をコンピュータに実行させる付記１０乃至１２のいずれかに記載のプログラム。
【０１３１】
（付記１４）実情報と前記実情報に対応する抽象情報とを含む一つ以上の変換情報を記憶する変換情報記憶部と、
前記変換情報に基づいて、ユーザの実績を示す実績内容を抽象化実績内容に変換し、出力する変換部と、
前記ユーザのユーザ識別子と仮名と前記実績内容とを関連付けた複数の実績情報と、前記ユーザ識別子と前記仮名と属性値とを関連付けた複数の属性情報と、前記抽象化実績内容と、に基づいて統合実績情報を生成し、出力する統合部と、を含み、
前記属性値は、前記属性情報において関連する仮名が、主仮名と副仮名のいずれかの属性であることを示し、
前記統合部は、前記ユーザのユーザ識別子に関連する前記属性値を抽出し、
前記統合部は、抽出された属性値のうち前記主仮名の属性の属性値に関連する仮名に関連付けられた第１の実績内容と、前記抽出された属性値のうち前記副仮名の属性の属性値に関連する仮名に関連付けられた第２の実績内容とを、前記実績情報から抽出し、
前記統合部で、第２の実績内容を抽出した場合、前記変換部は抽出された前記第２の実績内容を前記抽象化実績内容に変換し、前記統合部は、前記第１の実績内容と前記抽象化実績内容とを統合し前記統合実績情報を出力すること
を特徴とする実績管理サーバ。
【０１３２】
（付記１５）前記抽象化実績内容に含まれる数値を抽象化する数値抽象化部を更に含むことを特徴とする付記１４記載の実績管理サーバ。
【０１３３】
（付記１６）前記変換部は、抽象化の段階を指定する抽象化度に基づいて、前記実績内容を前記抽象化実績内容に変換することを特徴とする付記１４または１５記載の実績管理サーバ。
【０１３４】
（付記１７）前記変換部は、前記仮名毎に抽象化の段階を指定する個別抽象化度に基づいて、前記実績内容を前記抽象化実績内容に変換することを特徴とする付記１４乃至１６のいずれかに記載の実績管理サーバ。
【０１３５】
（付記１８）前記実績情報を記憶する属性情報記憶部と、
前記実績情報を記憶する属性情報登録部と、を有する
ことを特徴とする付記１４乃至１７のいずれかに記載の実績管理サーバ。
【符号の説明】
【０１３６】
１００    実績統合システム
１１０    変換部
１２０    変換情報記憶部
１３０    統合部
２００    実績統合システム
２４０    数値抽象化部
３００    実績統合システム
３０１    実績管理サーバ
３０２    端末
３５０    属性情報記憶部
３６０    属性情報登録部
６１０    実績情報
６１１    ユーザ識別子
６１２    仮名
６１３    実績内容
６２０    属性情報
６２４    属性値
６３０    地名変換情報
６３１    実地名
６３２    抽象地名
６４０    行事名変換情報
６４１    実行事名
６４２    抽象行事名
６５０    成績変換情報
６５１    実成績
６５２    抽象成績
６６３    抽象化実績内容
６７０    統合実績情報
６７１    代表仮名
６７３    統合実績内容
【図１】
2012093821.tif 000003
【図２】
2012093821.tif 000004
【図３】
2012093821.tif 000005
【図４】
2012093821.tif 000006
【図５】
2012093821.tif 000007
【図６】
2012093821.tif 000008
【図７】
2012093821.tif 000009
【図８】
2012093821.tif 000010
【図９】
2012093821.tif 000011
【図１０】
2012093821.tif 000012
【図１１】
2012093821.tif 000013
【図１２】
2012093821.tif 000014
【図１３】
2012093821.tif 000015
【図１４】
2012093821.tif 000016